(57)【要約】【課題】  ターンテーブルに対するディスク状記録媒体の位置ずれを防止する。【解決手段】  ディスク状記録媒体１００の内周部が載置されるテーブル部４と該テーブル部の中央部から突出されディスク状記録媒体の中心孔１００ａに挿入されるセンターリング突部５とを有するターンテーブル３と、センターリング突部に取り付けられる被取付部８とテーブル部とともにディスク状記録媒体の内周部を挟持する押さえ部１１とを有するクランパー７とを設け、ターンテーブルのテーブル部に配置用凹部４ａを形成し、配置用凹部にディスク状記録媒体をテーブル部に固定する固定手段６を設けた。【選択図】図２
2007004944.tif 000002
【特許請求の範囲】
【請求項１】
ディスク状記録媒体の内周部が載置されるテーブル部と該テーブル部の中央部から突出されディスク状記録媒体の中心孔に挿入されるセンターリング突部とを有するターンテーブルと、
上記センターリング突部に取り付けられる被取付部と上記テーブル部とともにディスク状記録媒体の内周部を挟持する押さえ部とを有するクランパーとを備え、
上記ターンテーブルのテーブル部に配置用凹部を形成し、
該配置用凹部にディスク状記録媒体をテーブル部に固定する固定手段を設けた
ことを特徴とするディスククランプ機構。
【請求項２】
上記配置用凹部をテーブル部の内周部に形成した
ことを特徴とする請求項１に記載のディスククランプ機構。
【請求項３】
上記配置用凹部をテーブル部の外周部に形成した
ことを特徴とする請求項１に記載のディスククランプ機構。
【請求項４】
上記固定手段としてテーブル部とディスク状記録媒体に接着される両面テープを用いた
ことを特徴とする請求項１に記載のディスククランプ機構。
【請求項５】
ディスク状記録媒体に対して情報信号の記録又は再生を行う記録再生手段を備えたディスクドライブ装置であって、
ディスク状記録媒体の内周部が載置されるテーブル部と該テーブル部の中央部から突出されディスク状記録媒体の中心孔に挿入されるセンターリング突部とを有するターンテーブルと、
上記センターリング突部に取り付けられる被取付部と上記テーブル部とともにディスク状記録媒体の内周部を挟持する押さえ部とを有するクランパーとを備え、
上記ターンテーブルのテーブル部に配置用凹部を形成し、
該配置用凹部にディスク状記録媒体をテーブル部に固定する固定手段を設けた
ことを特徴とするディスクドライブ装置。
【発明の詳細な説明】
【技術分野】
【０００１】
本発明はディスククランプ機構及びディスクドライブ装置についての技術分野に関する。詳しくは、ターンテーブルのテーブル部にディスク状記録媒体を固定する固定手段を設けてディスク状記録媒体のターンテーブルに対する位置ずれを防止する技術分野に関する。
【背景技術】
【０００２】
ディスク状記録媒体として、光ディスク、光磁気ディスク、磁気ディスク等の種々のタイプが広く用いられている。
【０００３】
一般に、ディスク状記録媒体は、その中心部に形成された中心孔にターンテーブルのセンターリング突部が挿入されてターンテーブルに装着され、スピンドルモーターの回転によるターンテーブルの回転に伴って回転される。
【０００４】
このようなディスク状記録媒体にあっては、中心孔の内径がセンターリング突部の外径より僅かに大きく形成され、ディスク状記録媒体のターンテーブルに対する装着の容易化等が図られている。
【０００５】
ディスク状記録媒体には、例えば、ハードディスクドライブ装置において用いられる磁気ディスクのように、中心孔にターンテーブルのセンターリング突部が挿入され、内周部がターンテーブルのテーブル部とクランパーの押さえ部とによって狭持された状態でターンテーブルに保持されるものがある。
【０００６】
また、磁気ディスクには、近年の高密度記録化に対応するために、隣接する磁気トラックが磁気的に分離された所謂ディスクリート型のディスク状記録媒体がある（例えば、特許文献１参照）。
【０００７】
ディスクリート型のディスク状記録媒体にあっては、同心円状又は螺旋状の磁気トラックが形成され、隣接する磁気トラック間に両者を磁気的に分離するための同心円状又は螺旋状のディスクリート溝が形成されている。従って、ディスクリート溝によって隣接する磁気トラック間の磁気的な相互干渉が防止され、磁気トラックのピッチを狭めることが可能となり、高密度記録化を図ることができる。
【０００８】
【特許文献１】特開２００４−１１０８９６号公報
【発明の開示】
【発明が解決しようとする課題】
【０００９】
ところが、従来のディスク状記録媒体にあっては、ターンテーブルとクランパーによって保持された状態で、落下による衝撃や外部からの衝撃が加わった場合、中心孔とセンターリング突部の隙間分、ディスク状記録媒体が径方向へシフトしてターンテーブルに対するディスク状記録媒体の位置ずれを生じてしまうおそれがある。
【００１０】
このような位置ずれが生じてしまうと、光ヘッドや磁気ヘッド等の記録トラックに対する追従性が悪化し、記録再生特性の劣化を来たすおそれがある。
【００１１】
特に、ディスクリート型のディスク状記録媒体のように、記録トラックのピッチが小さい高密度記録化を図ることが可能なディスク状記録媒体にあっては、位置ずれによる影響が大きいという問題がある。
【００１２】
また、ディスク状記録媒体を挟持するためのクランパーは、通常、ターンテーブルのセンターリング突部にネジ止めによって取り付けられるが、このネジ止め時に、ターンテーブルに対して位置決めされたディスク状記録媒体がクランパーによる押付力によってターンテーブルに対して位置ずれを生じるおそれもある。
【００１３】
この位置ずれを防止するために、クランパーのネジ止め時に所定の保持機構によってディスク状記録媒体を保持することが考慮されるが、この場合には保持機構による保持工程が必要となり、作業性が低下することになる。
【００１４】
そこで、本発明ディスククランプ機構及びディスクドライブ装置は、上記した問題点を克服し、ターンテーブルに対するディスク状記録媒体の位置ずれを防止することを課題とする。
【課題を解決するための手段】
【００１５】
本発明ディスククランプ機構及びディスクドライブ装置は、上記した課題を解決するために、ディスク状記録媒体の内周部が載置されるテーブル部と該テーブル部の中央部から突出されディスク状記録媒体の中心孔に挿入されるセンターリング突部とを有するターンテーブルと、上記センターリング突部に取り付けられる被取付部と上記テーブル部とともにディスク状記録媒体の内周部を挟持する押さえ部とを有するクランパーとを設け、上記ターンテーブルのテーブル部に配置用凹部を形成し、該配置用凹部にディスク状記録媒体をテーブル部に固定する固定手段を設けたものである。
【００１６】
従って、本発明ディスククランプ機構及びディスクドライブ装置にあっては、ディスク状記録媒体をターンテーブルのテーブル部に載置したときにディスク状記録媒体がターンテーブルに固定される。
【発明の効果】
【００１７】
本発明ディスククランプ機構は、ディスク状記録媒体の内周部が載置されるテーブル部と該テーブル部の中央部から突出されディスク状記録媒体の中心孔に挿入されるセンターリング突部とを有するターンテーブルと、上記センターリング突部に取り付けられる被取付部と上記テーブル部とともにディスク状記録媒体の内周部を挟持する押さえ部とを有するクランパーとを備え、上記ターンテーブルのテーブル部に配置用凹部を形成し、該配置用凹部にディスク状記録媒体をテーブル部に固定する固定手段を設けたことを特徴とする。
【００１８】
従って、落下による衝撃や外部からの衝撃が加わった場合においても、ディスク状記録媒体がターンテーブルに対して位置ずれすることがなく、ディスク状記録媒体に対する良好な記録再生特性を確保することができる。
【００１９】
請求項２に記載した発明にあっては、上記配置用凹部をテーブル部の内周部に形成したので、ディスク状記録媒体の記録領域に固定手段が接することがなく、その分、記録領域の範囲を大きくすることが可能である。
【００２０】
請求項３に記載した発明にあっては、上記配置用凹部をテーブル部の外周部に形成したので、ディスク状記録媒体がテーブル部に装着されたときに、固定手段の一部が配置用凹部からテーブル部の外側にはみ出すことが可能となり、ディスク状記録媒体の軸方向におけるターンテーブルに対する位置ずれの影響を考慮することなくターンテーブルを成形することができる。
【００２１】
請求項４に記載した発明にあっては、上記固定手段としてテーブル部とディスク状記録媒体に接着される両面テープを用いたので、ディスク状記録媒体のテーブル部への固定を容易に行うことができる。
【００２２】
本発明ディスクドライブ装置は、ディスク状記録媒体に対して情報信号の記録又は再生を行う記録再生手段を備えたディスクドライブ装置であって、ディスク状記録媒体の内周部が載置されるテーブル部と該テーブル部の中央部から突出されディスク状記録媒体の中心孔に挿入されるセンターリング突部とを有するターンテーブルと、上記センターリング突部に取り付けられる被取付部と上記テーブル部とともにディスク状記録媒体の内周部を挟持する押さえ部とを有するクランパーとを備え、上記ターンテーブルのテーブル部に配置用凹部を形成し、該配置用凹部にディスク状記録媒体をテーブル部に固定する固定手段を設けたことを特徴とする。
【００２３】
従って、落下による衝撃や外部からの衝撃が加わった場合においても、ディスク状記録媒体がターンテーブルに対して位置ずれすることがなく、ディスク状記録媒体に対する良好な記録再生特性を確保することができる。
【発明を実施するための最良の形態】
【００２４】
以下に、本発明ディスククランプ機構及びディスクドライブ装置を実施するための最良の形態を添付図面に従って説明する。以下に示した最良の形態は、本発明ディスクドライブ装置を、ディスク状記録媒体としてディスクリート型の磁気ディスクに対して情報信号の記録及び再生を行うハードディスクドライブ装置に適用し、本発明ディスククランプ機構を、このハードディスクドライブ装置に備えられたディスククランプ機構に適用したものである。
【００２５】
尚、本発明の適用範囲は、上記したハードディスクドライブ装置及びこれに備えられたディスククランプ機構に限られることはなく、光ディスク、光磁気ディスク、ディスクリート型以外の磁気ディスク等の各種のディスク状記録媒体に対して情報信号の記録又は再生を行うディスクドライブ装置及びこれに備えられたディスククランプ機構に広く適用することができる。
【００２６】
ディスク状記録媒体１００は、図１に示すように、例えば、ディスクドライブ装置（ハードディスクドライブ装置）１の内部に配置されている。
【００２７】
ディスクドライブ装置１は、ケース体２内に所要の各機構が配置されて成り、該ケース体２は基台２ａとトップカバー２ｂによって形成されて成る。
【００２８】
基台２ａには図示しないスピンドルモータによって回転されるターンテーブル３が設けられ、該ターンテーブル３はディスク状記録媒体１００の内周部が載置されるテーブル部４と該テーブル部４の中心部に設けられたセンターリング突部５とを有している。
【００２９】
テーブル部４には、図２に示すように、内周部に環状に延びる配置用凹部４ａが形成され、該配置凹部４ａの外側の部分は上面が平面に形成された載置部４ｂとして設けられている。センターリング突部５には、その中心部に螺穴５ａが形成されている。
【００３０】
テーブル部４の配置用凹部４ａには、固定手段として、例えば、両面テープ６が配置されている。両面テープ６は一方の接着面（下面）がテーブル部４に接着されている。両面テープ６は、例えば、円環状を為し、基材の両面にそれぞれ粘着剤が塗布されて形成されている。このように基材の両面に粘着剤が塗布された両面テープ６を用いることにより、基材がないものに比して剛性が高く、テーブル部４への貼着を容易に行うことができる。
【００３１】
尚、両面テープ６の形状は円環状に限られることはなく、例えば、配置用凹部４ａの形状に対応させた円弧状に形成してもよく、この場合には複数の両面テープを用いることが必要である。また、配置用凹部４ａに配置可能な大きさの任意の形状に形成して複数用いるようにしてもよい。
【００３２】
両面テープ６は、図３に示すように、厚みｔが配置用凹部４ａの深さＡより僅かに大きくされ、幅ｈが配置用凹部４ａの幅Ｂより小さくされている。また、両面テープ６の断面積Ｓ１は配置用凹部４ａの断面積Ｓ２より小さくされている。
【００３３】
ターンテーブル３にはディスク状記録媒体１００が装着される。ターンテーブル３へのディスク状記録媒体１００の装着は、センターリング突部５がディスク状記録媒体１００の中心孔１００ａに挿入されて位置決めされ、テーブル部４の載置部４ｂにディスク状記録媒体１００の内周部が載置されることにより行われる。ディスク状記録媒体１００は内周部が両面テープ６の他方の接着面（上面）に接着され、接着された部分より外側の部分がテーブル部４の載置部４ｂに載置される。
【００３４】
上記のように、両面テープ６は厚みｔが配置用凹部４ａの深さより僅かに大きくされているため、ディスク状記録媒体１００がターンテーブル３に装着されるときにディスク状記録媒体１００の内周部を確実に両面テープ６に接着することができる。
【００３５】
ディスク状記録媒体１００がターンテーブル３に装着された状態においては、両面テープ６がディスク状記録媒体１００によって僅かに押し潰される。両面テープ６は、上記のように、幅ｈが配置用凹部４ａの幅Ｂより小さくされ、断面積Ｓ１が配置用凹部４ａの断面積Ｓ２より小さくされているため、両面テープ６が押し潰された状態においても該両面テープ６が配置用凹部４ａからはみ出してしまうようなことがない。
【００３６】
センターリング突部５には、ディスク状記録媒体１００がターンテーブル３に装着された状態においてクランパー７が取り付けられる（図１及び図２参照）。
【００３７】
クランパー７は、バネ性を有する金属材料によって形成され、センターリング突部５に取り付けられる円板状に形成された被取付部８と該被取付部８の外周側に位置する変形部９と該変形部９の外周側に位置する外周部１０とから成る。
【００３８】
被取付部８の中心部にはネジ挿通孔８ａが形成されている。
【００３９】
変形部９は、被取付部８の外周縁に連続され該被取付部８から離隔するに従ってターンテーブル３から離隔する方向へ傾斜する斜面部９ａと、該斜面部９ａの外周縁に連続され被取付部８と略平行な状態で位置する平面部９ｂとから成る。変形部９は被取付部８に対して弾性変形可能とされている。
【００４０】
外周部１０は、変形部９の外周縁に連続され該変形部９から離隔するに従って斜面部９ａと略反対方向へ傾斜する傾斜部１０ａと、該傾斜部１０ａの外周縁に連続され変形部９から離隔するに従って斜面部９ａと略同じ方向へ傾斜する外縁部１０ｂとから成り、傾斜部１０ａと外縁部１０ｂの連続部分がテーブル部４側へ凸の断面Ｖ字状に形成された押さえ部１１として設けられている。
【００４１】
クランパー７は、ネジ挿通孔８ａに挿通された取付ネジ１２がセンターリング突部５の螺穴５ａに螺合されることにより、ターンテーブル３に取り付けられる（図２参照）。ターンテーブル３にクランパー７が取り付けられた状態においては、ターンテーブル３から離隔して位置されている変形部９が弾性変形されて押さえ部１１がディスク状記録媒体１００の内周部に押し付けられ、ディスク状記録媒体１００の内周部がテーブル部４の載置部４ｂとクランパー７の押さえ部１１とによって挟持される。
【００４２】
ケース体２の基台２ａには回動型アクチュエーター１３が配置されている。回動型アクチュエーター１３は回動部１４、ピボット１５、駆動用マグネット１６及びヨーク１７を備え、回動部１４は保持体１８とサスペンション１９、１９と浮上ヘッド２０、２０を有している。
【００４３】
保持体１８はサスペンション保持部２１とコイル保持部２２を有している。
【００４４】
サスペンション保持部２１には、サスペンション１９、１９がその厚み方向に離隔した状態で取り付けられている。サスペンション１９、１９は、保持体１８から突出され、各先端部に浮上ヘッド２０、２０が配置されている。サスペンション１９、１９は浮上ヘッド２０、２０を所定の荷重でディスク状記録媒体１００側に付勢する板バネとしての機能を有している。浮上ヘッド２０、２０は、ディスク状記録媒体１００に対して情報信号の記録又は再生を行う記録再生手段として機能する。
【００４５】
コイル保持部２２には駆動用コイル２３が保持されている。
【００４６】
サスペンション１９、１９には、それぞれ導電用配線板２４、２４が貼着されている。導電用配線板２４、２４は、各一端部がそれぞれ浮上ヘッド２０、２０に接続されている。
【００４７】
駆動用マグネット１６はヨーク１７の内面に取り付けられ、保持体１８に保持された駆動用コイル２３と対向した状態で位置される。
【００４８】
基台２ａ上には回動型アクチュエーター１３の動作の制御を行うための回路基板２５が配置されている。回路基板２５にはフレキシブルプリント配線板２６が接続されている。
【００４９】
フレキシブルプリント配線板２６は駆動用コイル２３への接続用のコイル用導線部と浮上ヘッド２０、２０への接続用のヘッド用導線部とを有し、コイル用導線部に駆動用コイル２３の両端部が接続され、ヘッド用導線部に導電用配線板２４、２４の他端部が接続されている。
【００５０】
回路基板２５には接続用基板２７の一端部が接続され、該接続用基板２７はケース体２から外部へ導出され、例えば、パーソナルコンピューター等の各種の電子機器の図示しないメイン基板（マザーボード）等に接続される。
【００５１】
ディスク状記録媒体１００は、例えば、磁気ディスクであり、内周部と外周部を除いた部分に同心円状又は螺旋状に形成された磁気トラックと、隣接する磁気トラックを磁気的に分離するための同心円状又は螺旋状に形成されたディスクリート溝とが半径方向において交互に形成されている。
【００５２】
ディスク状記録媒体１００の内周部と外周部は、それぞれ磁気トラックが形成されていない非記録領域として形成されている。従って、ディスク状記録媒体１００の内周部と外周部以外の部分が情報信号が記録される記録領域とされる。
【００５３】
尚、ディスク状記録媒体１００は磁気ディスクに限られることはなく、光磁気ディスク又は光ディスク等の他のディスクであってもよい。
【００５４】
以下に、ディスク状記録媒体１００がターンテーブル３に装着されて保持される工程について説明する（図４乃至図８参照）。
【００５５】
先ず、ターンテーブル３のテーブル部４に形成された配置用凹部４ａに両面テープ６を貼着する（図４参照）。
【００５６】
次に、図５に示すように、保持機構５０によってディスク状記録媒体１００をターンテーブル３の上方において保持し、保持機構５０を動作させてディスク状記録媒体１００のディスクリート溝の中心がターンテーブル３の回転中心に一致するようにディスク状記録媒体１００を位置させる。
【００５７】
次いで、図６に示すように、保持機構５０を下降してディスク状記録媒体１００の内周部をターンテーブル３のテーブル部４上に載置する。このときディスク状記録媒体１００の内周部が両面テープ６に貼着され、ディスク状記録媒体１００が両面テープ６によってテーブル部４に固定される。
【００５８】
続いて、保持機構５０を動作させて該保持機構５０によるディスク状記録媒体１００の保持状態を解除する（図７参照）。保持機構５０によるディスク状記録媒体１００の保持状態が解除された状態においても、ディスク状記録媒体１００が両面テープ６によって固定されているため、ディスク状記録媒体１００のターンテーブル３に対する位置ずれが生じることはない。
【００５９】
最後に、取付ネジ１２によってクランパー７をターンテーブル３に取り付ける（図８参照）。このときクランパー７の押さえ部１１がディスク状記録媒体１００に押し付けられるため、ディスク状記録媒体１００には押さえ部１１から負荷が付与されるが、ディスク状記録媒体１００が両面テープ６によって固定されているため、押さえ部１１から付与される負荷によってディスク状記録媒体１００がターンテーブル３に対して位置ずれを生じることがない。クランパー７がターンテーブル３に取り付けられた状態においては、上記したように、ディスク状記録媒体１００の内周部がテーブル部４の載置部４ｂとクランパー７の押さえ部１１とによって挟持される。
【００６０】
以上に記載した通り、ディスクドライブ装置１にあっては、ディスク状記録媒体１００をターンテーブル３のテーブル部４とクランパー７によって挟持し、かつ、ディスク状記録媒体１００を両面テープ６によってターンテーブル３のテーブル部４に固定することによりディスク状記録媒体１００を保持しているため、落下による衝撃や外部からの衝撃が加わった場合においても、ディスク状記録媒体１００がターンテーブル３に対して位置ずれすることがなく、ディスク状記録媒体１００に対する良好な記録再生特性を確保することができる。
【００６１】
特に、記録トラックのピッチが小さい高密度記録化を図ることが可能なディスクリート型のディスク状記録媒体１００が用いられる場合には、位置ずれの防止による記録再生動作の信頼性を大幅に向上することが可能である。
【００６２】
また、両面テープ６はテーブル部４の配置用凹部４ａに配置されるため、ディスク状記録媒体１００が載置部４ｂから浮き上がってしまうようなことがなく、ディスク状記録媒体１００の軸方向（ターンテーブル３の回転軸方向）におけるターンテーブル３に対する適正な位置を確保することができる。
【００６３】
さらに、クランパー７のターンテーブル３へのネジ止め時に保持機構５０によってディスク状記録媒体１００を保持する必要がないため、ディスク状記録媒体１００をターンテーブル３に保持する工程における作業性の向上を図ることができる。
【００６４】
加えて、ターンテーブル３のテーブル部４の内周部に配置用凹部４ａを形成してディスク状記録媒体１００を両面テープ６に接着するようにしているため、ディスク状記録媒体１００の記録領域に両面テープ６が接することがなく、その分、記録領域の範囲を大きくすることが可能である。
【００６５】
また、テーブル部４の内周部に形成された配置用凹部４ａに両面テープ６を配置しているため、両面テープ６がテーブル部４の外方（側方）にはみ出すことがなく、ディスク状記録媒体１００の固定状態の安定化を図ることができる。
【００６６】
さらに、ディスク状記録媒体１００をテーブル部４に固定する固定手段として両面テープ６を用いているため、ディスク状記録媒体１００のテーブル部４への固定を容易に行うことができる。
【００６７】
尚、上記には、ターンテーブル３のテーブル部４の内周部、即ち、載置部４ｂの内側に配置用凹部４ａを形成した例を示したが、逆に、配置用凹部４ａを載置部４ｂの外側に形成することも可能である（図９参照）。
【００６８】
このように配置用凹部４ａを載置部４ｂの外側に形成した場合には、ディスク状記録媒体１００がテーブル部４に装着されたときに、ディスク状記録媒体１００に押し潰された両面テープ６の一部が配置用凹部４ａからテーブル部４の外側にはみ出すことが可能となり、ディスク状記録媒体１００の軸方向におけるターンテーブル３に対する位置ずれの影響を考慮することなくターンテーブル３を成形することができる。
【００６９】
上記には、固定手段として両面テープ６を例として示したが、固定手段は両面テープ６に限られることはなく、例えば、熱硬化型や２液性の接着剤を用いることも可能である。
【００７０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７１】
【図１】図２乃至図９と共に本発明の最良の形態を示すものであり、本図は、ハードディスクドライブ装置の概略斜視図である。
【図２】ディスク状記録媒体がターンテーブルに装着されて保持された状態を示す拡大断面図である。
【図３】各部の寸法関係を説明するための概念図である。
【図４】図５乃至図８と共にディスク状記録媒体をターンテーブルに保持する工程を示すものであり、本図は、ターンテーブルのテーブル部に両面テープが配置された状態を示す断面図である。
【図５】ディスク状記録媒体が保持機構に保持されている状態を示す断面図である。
【図６】ディスク状記録媒体がターンテーブルに装着された状態を示す断面図である。
【図７】保持機構によるディスク状記録媒体の保持状態が解除された状態を示す断面図である。
【図８】ディスク状記録媒体がターンテーブルに保持された状態を示す断面図である。
【図９】両面テープがテーブル部の外周部に配置されたターンテーブルにディスク状記録媒体が保持された状態を示す断面図である。
【符号の説明】
【００７２】
１…ディスクドライブ装置、３…ターンテーブル、４…テーブル部、４ａ…配置用凹部、５…センターリング突部、６…両面テープ（固定手段）、７…クランパー、８…被取付部、１１…押さえ部、２０…浮上ヘッド（記録再生手段）、１００…ディスク状記録媒体、１００ａ…中心孔
【図１】
2007004944.tif 000003
【図２】
2007004944.tif 000004
【図３】
2007004944.tif 000005
【図４】
2007004944.tif 000006
【図５】
2007004944.tif 000007
【図６】
2007004944.tif 000008
【図７】
2007004944.tif 000009
【図８】
2007004944.tif 000010
【図９】
2007004944.tif 000011